(57)【要約】【課題】複数の会員が登録する膨大なＷｅｂサイト情報を如何に共有し効率的に管理するか、また、個々のこの共有情報を会員に如何に有益な情報として提供するか、更に個々の会員が登録した情報と広告を如何に関連付けるかが課題である。【解決手段】複数の会員が登録する情報が重複しない効率的な記憶手段と、個々の会員が登録する情報を可能な限りばらつかないように誘導する手段と、会員の個人情報、サイトの登録状況及び閲覧状況を把握することにより、会員に有益な集計情報を提供する手段と、会員が登録する情報に含まれるキーワード及び個人情報を広告主が所望する広告条件に効果的に関連付ける手段とを備えることが解決の手段となる。【選択図】図１
2005196715.tif 000002
【特許請求の範囲】
【請求項１】
会員がＷｅｂサイトのＵＲＬとＵＲＬを明示する為の付加情報をインターネット上のサーバーに登録管理する方法に於いて、全会員を対象に、前記ＵＲＬと該ＵＲＬの共有会員数をＵＲＬ記憶媒体に記憶する手段と、前記付加情報と該付加情報の共有会員数を付加情報記憶媒体に記憶する手段と、前記ＵＲＬ及び付加情報を会員毎に識別可能な形式で会員サイト情報記憶媒体にユニークに記憶する手段と、前記会員サイト情報記憶媒体の記憶情報に基づいて前記ＵＲＬ毎に会員の共有が多い上位の付加情報を割り出して該共有会員数と共に識別可能な形式で該当ＵＲＬに関連付けて前記ＵＲＬ記憶媒体に記憶する手段と、前記ＵＲＬ記憶媒体に記憶されているＵＲＬと該ＵＲＬに連動する付加情報を全会員を対象に公開する手段と、前記会員サイト情報記憶媒体の記憶情報に基づいて該当するＵＲＬ及び付加情報を前記会員毎に閲覧できる手段とを備えることを特徴とするＷｅｂサイト情報の共有管理方法。
【請求項２】
前記ＵＲＬ記憶媒体のＵＲＬ共有会員数により割り出された該当ＵＲＬのランキングを該ＵＲＬ記憶媒体の記憶情報に基づく該当付加情報と共に提供する手段を備えることを特徴とする請求項１に記載のＷｅｂサイト情報の共有管理方法。
【請求項３】
会員を識別する為の情報を記憶する会員情報記憶媒体の会員を明示する個人情報に基づいて任意に設定された条件で前記会員サイト情報記憶媒体から絞り込まれた対象会員の記憶情報に基づいてユニークに割り出された該当ＵＲＬの登録会員数を考慮したＵＲＬのランキングを該ＵＲＬに対応する前記ＵＲＬ記憶媒体の記憶情報に基づく該当付加情報と共に提供する手段を備えることを特徴とする請求項１〜２の何れか１項に記載のＷｅｂサイト情報の共有管理方法。
【請求項４】
前記ＵＲＬの登録日時、登録済みＵＲＬのアクセス日時及びアクセス回数を記憶する前記会員サイト情報記憶媒体から該登録日時、アクセス日時及びアクセス回数の何れかの組合せに基づいて設定された条件によりユニークに割り出された該当ＵＲＬのランキングを該ＵＲＬに対応する前記ＵＲＬ記憶媒体の記憶情報に基づく該当付加情報と共に提供する手段を備えることを特徴とする請求項１〜３の何れか１項に記載のＷｅｂサイト情報の共有管理方法。
【請求項５】
請求項４でＵＲＬを割り出す際に、更に前記会員サイト情報記憶媒体から、会員を明示する前記個人情報に基づいて任意に設定された条件により絞り込まれた対象会員の記憶情報に基づいてユニークに割り出された該当ＵＲＬの範囲から割り出されたＵＲＬのランキングを該ＵＲＬに対応する前記ＵＲＬ記憶媒体の記憶情報に基づく該当付加情報と共に提供する手段を備えることを特徴とする請求項１〜４の何れか１項に記載のＷｅｂサイト情報の共有管理方法。
【請求項６】
前記会員が前記ＵＲＬ及び前記付加情報から成る情報を非公開として登録する場合には、該情報を前記会員サイト情報記憶媒体に該当会員毎に非公開である旨を記憶することを前提に、非公開である旨が記憶されている記憶情報に連動する前記付加情報を登録会員自身以外に公開しない手段と、更に非公開である旨が記憶されている記憶情報数をＵＲＬ別に非公開会員数として前記ＵＲＬ記憶媒体の該当ＵＲＬに関連付けて記憶する手段と、前記ＵＲＬ記憶媒体に記憶されている記憶情報の前記ＵＲＬの共有会員数と前記非公開会員数が一致するときには該記憶情報に連動する前記付加情報を登録会員自身以外に公開しない手段とを備えることを特徴とする請求項１〜５の何れか１項に記載のＷｅｂサイト情報の共有管理方法。
【請求項７】
前記付加情報から抽出されたキーワードをユニークに記憶する抽出キーワード記憶媒体から該抽出キーワードを識別可能な形式で該付加情報に関連付けて前記付加情報記憶媒体に記憶することを前提に、広告可能な形式を含む広告提供情報と、広告主が広告対象条件として選択した前記抽出キーワードを広告キーワードとして識別可能な形式で、該広告主に関連付けて広告情報記憶媒体にユニークに記憶する手段と、会員が閲覧の際に取得する前記付加情報に連動する前記抽出キーワードと広告主が広告対象条件とする前記広告キーワードが一致する前記広告提供情報を該会員に提供する手段とを備えることを特徴とする請求項１〜６の何れか１項に記載のＷｅｂサイト情報の共有管理方法及び広告表示方法。
【請求項８】
広告主が広告対象条件とする会員を明示する前記個人情報に基づいて広告対象会員の範囲を識別可能な形式で前記広告提供情報に関連付けて前記広告情報記憶媒体に記憶することを前提に、会員が閲覧の際に取得する前記付加情報に連動する前記抽出キーワード及び該会員を明示する前記個人情報と広告主が広告対象条件とする前記広告キーワード及び前記広告対象会員の範囲が一致する前記広告提供情報を該会員に提供する手段とを備えることを特徴とする請求項１〜７の何れか１項に記載のＷｅｂサイト情報の共有管理方法及び広告表示方法。
【発明の詳細な説明】
【発明の詳細な説明】
【技術分野】
【０００１】本発明は、会員が有益と判断したＷｅｂサイトのＵＲＬ、階層構造で表示する為のメインフォルダー、サブフォルダー（ここではフォルダーをメインフォルダーとサブフォルダーの二つで説明するがフォルダーの数は任意である。また、以下、メインフォルダーとサブフォルダーを総称して、必要に応じてフォルダーと記載する）、タイトル及び覚え書き等の登録情報（以下、ＵＲＬを除くこれらの登録情報を必要に応じて付加情報と記載する。また、ＵＲＬと付加情報を含む場合には、必要に応じてＷｅｂサイト情報と記載する）をインターネット上のサーバーに効率良く管理する手段と、会員がＷｅｂサイト情報を閲覧する際に付加情報に含まれるキーワード及び会員の個人情報を広告情報と効果的に関連付ける手段を提供する方法に関するものである。
【背景技術】
【０００２】従来、インターネット閲覧者が有益と判断して登録するＷｅｂサイト情報は、他の閲覧者と共有されることは無く排他的に管理されるのが一般的である。即ち不特定多数の閲覧者がローカルのＰＣ、或いはサーバー上に排他的に登録するＷｅｂサイト情報は膨大な情報量であり、この有益であるが排他的な情報を加工して他の閲覧者と共有することは不可能であった。例えば、閲覧者は、自身の個人情報、例えば、性別、年齢、或いは職業など（以下、性別、年齢、或いは職業などの会員を明示する個人情報は複数考えられるが、ここでは複数の個人情報から性別、年齢及び職業に限定して説明を試みる）が類似する他の閲覧者がどのようなＷｅｂサイトを閲覧しているのか知りたい、或いは現在どのＷｅｂサイトに人気があるのか知りたい、或いは有益と判断して登録する付加情報をその都度考えることが面倒なので、既に登録済の他の閲覧者の付加情報を参照して登録したい等の欲求があるかもしれない。【０００３】また、排他的に登録されている付加情報は、閲覧者が自らの意思で入力した貴重な情報であり、この情報には閲覧者自身が最も興味を持っている分野のキーワードを含んでいる可能性を秘めているにもかかわらず広告手段として十分に活用されていない。
【発明が解決しようとする課題】
【０００４】閲覧者が、インターネット上にある膨大な数のＷｅｂサイトから有益と判断し個々に登録するＷｅｂサイト情報はかなり膨大なものであり、更にＷｅｂサイトの内容の覚え書きをも管理するとなるとその登録情報量はより膨大になる。そのようなＷｅｂサイト情報を如何に効率的に管理するか、また付加情報に含まれるキーワードと広告を如何に効果的に関連付けるかが課題である。
【課題を解決する為の手段】
【０００５】上記の課題を解決する為には、個々のＷｅｂサイト情報が重複して登録されない効率的な登録手段と、同一のＵＲＬに対して登録される付加情報が可能な限りばらつかないように会員を誘導する手段と、全会員によって登録されたＷｅｂサイト情報を性別、年齢、或いは職業別に、更に登録日時、アクセス日時、アクセス回数及び共有会員数でランキングすることにより個々の会員に有益な情報提供する手段と、該Ｗｅｂサイト情報を閲覧する際の付加情報に含まれるキーワード及び会員の個人情報を広告主が所望する広告条件に効果的に関連付けて広告する為の手段を備えることが必要となる。
【発明を実施するための最良の形態】
【０００６】以下、本発明の実施形態を図面と共に例示する。図１は、本発明に於けるＷｅｂサイト情報の共有管理方法及び広告表示方法を説明する実施形態を表現する図である。図に於いて、会員端末Ａ１１ａ及び会員端末Ｂ１１ｂは、会員・広告主登録認証手段１２を介して規定の個人情報を会員・広告主情報記憶装置１３に登録することにより認証された会員が利用する複数の端末を表現するものである（以下、該端末を説明の便宜上、会員端末と記載する）。会員サイト情報処理手段１４は、会員が会員端末を介してインターネット上の任意のＷｅｂサーバー１５から閲覧し有益と判断したＷｅｂサイト情報を会員サイト情報記憶装置１６に記憶する。該記憶装置には、更にキーワード抽出手段１７を介して付加情報から抽出されたキーワードも記憶される。【０００７】広告主端末１８は、会員・広告主登録認証手段１２を介して規定の広告主情報を会員・広告主情報記憶装置１３に記憶することにより認証された広告主が利用する端末を表現するものである（広告主の端末数は、広告主の数に対応するものだがここでは説明の便宜上、広告主端末の数を一台で説明する）。広告情報処理手段１９は、広告主が広告主端末１８を介して広告提供情報及び各種の広告条件を広告情報記憶装置２０に記憶する。この広告提供情報は、広告情報提供サーバー２１内の広告情報保存場所２２に置かれた広告実体である広告情報の位置を示すＵＲＬ及び広告情報がクリックされた時に誘導する任意の誘導ＷｅｂサイトのＵＲＬを意味する。尚、広告主情報、広告情報及び広告提供情報の登録は必ずしも広告主自身が行うわけではなく、予め広告主から別の方法で提供されたこれらの情報を管理者が直接登録する場合も想定する。【０００８】会員サイト情報・広告情報表示手段２３は、会員の要求に基づいて登録済みＷｅｂサイト情報を会員サイト情報記憶装置１６から取得して会員端末に表示すると共に付加情報に含まれるキーワード及び会員・広告主情報記憶装置１３に記憶されている会員の個人情報と広告情報記憶装置２０から得る広告主の所望する広告条件にマッチする広告提供情報に基づいて広告情報保存場所２２にある広告の実体を会員端末に表示する。【０００９】広告表示状況処理手段２４は、認証された広告主の要求に基づいて広告情報記憶装置２０に集計されている広告状況、例えば表示回数、クリック回数等を広告主端末１８に提供する。【００１０】共有サーバー２５は、前述の会員及び広告主が登録する各種情報の操作手段及び記憶装置を備える。【００１１】図２、図３及び図７の説明で例示する各種の記憶媒体は、具体的にはデータベース内の各種のテーブルによって実現される。【００１２】図２は、複数の会員の個人情報及びＷｅｂサイト情報を記憶する各種の記憶媒体の形態を表現する図である。性別記憶媒体２６、年齢記憶媒体２７、職業記憶媒体２８及び会員情報記憶媒体２９は会員・広告主情報記憶装置１３内に、また会員サイト情報記憶媒体３０は会員サイト情報記憶装置１６内にそれぞれ備えるものとする。【００１３】非会員は、会員名（ＵＮＡＭＥ）、パスワード（ＰＡＳＳ）、更に性別記憶媒体２６、年齢記憶媒体２７及び職業記憶媒体２８からそれぞれ選択する形式で性別（ＳＥＸ）の性別識別子（ＳＩＤ）、年齢（ＡＧＥ）の年齢識別子（ＡＧＩＤ）及び職業（ＪＯＢ）の職業識別子（ＪＩＤ）及び該非会員に割り当てられた会員識別子（ＵＩＤ）を会員情報記憶媒体２９に記憶し会員登録を完了する。【００１４】会員が有益と判断し登録するＷｅｂサイトの情報（共有サーバー２５からダウンロードする形式で会員端末にインストールされるアプリケーション（ここでは例示されていない）によって該Ｗｅｂサイトから取得するＵＲＬ及びタイトル）を会員端末の登録画面に表示する。この登録画面は例示されていないが、該ＵＲＬ、更に会員が後述する方法で提供される付加情報から任意に選択、或いは新たに入力可能な付加情報を登録する為の画面を想定したものである。【００１５】会員サイト情報記憶媒体３０には、会員がＷｅｂサイト情報を登録した際に、後述する各種の記憶媒体から得られたＵＲＬのＵＲＬ識別子（ＵＲＬＩＤ）、フォルダーのフォルダー識別子（メインフォルダー識別子：ＭＦＩＤ、サブフォルダー識別子：ＳＦＩＤ）、タイトルのタイトル識別子（ＴＩＤ）、覚書の覚書識別子（ＭＩＤ）、該情報の登録日時（ＲＤＴ）及び該情報を非公開にするか否かを設定する非公開オプション（ＣＯＮＦ）、更に登録後に該会員がＷｅｂサイトを閲覧したアクセス日時（ＬＡＤＴ）及びトータルのアクセス回数（ＡＮ）を会員識別子（ＵＩＤ）毎にユニークに記憶する。【００１６】図３は、複数の会員によって登録されるＷｅｂサイト情報を共有登録する各種の記憶媒体の形態を表現する図である。ＵＲＬ記憶媒体３１、付加情報記憶媒体３２を構成するメインフォルダー記憶媒体３３、サブフォルダー記憶媒体３４、タイトル記憶媒体３５及び覚書記憶媒体３６、更に会員別サイト情報一時記憶媒体３７（以下、該記憶媒体を説明の便宜上、必要に応じて一時記憶媒体と記載する）は、会員サイト情報記憶装置１６内に備えるものとする。【００１７】ＵＲＬ及びＵＲＬ識別子を記憶するＵＲＬ記憶媒体３１には、ＵＲＬ共有会員数（ＵＵＮ）、更に後述する方法でＵＲＬ毎に全会員を対象に割り出された最も共有されているメインフォルダー識別子とメインフォルダー共有会員数（ＭＦＵＮ）、サブフォルダー識別子とサブフォルダー共有会員数（ＳＦＵＮ）、タイトル識別子とタイトル共有会員数（ＴＵＮ）及び覚書識別子と覚書共有会員数（ＭＵＮ）を記憶する。尚、ここではこれらの各種の識別子及び会員の共有が最も多い会員数を一つずつＵＲＬ記憶媒体３１に記憶することを前提に説明を行うが、これらの各種の識別子及び共有が多い会員数を任意に複数記憶するならば、会員は複数の共用可能な付加情報を後述する方法で選択することができる。【００１８】メインフォルダー記憶媒体３３にはメインフォルダー名（ＭＦＬＤＲ）、メインフォルダー識別子及びメインフォルダー共有会員数を、サブフォルダー記憶媒体３４にはサブフォルダー名（ＳＦＬＤＲ）、サブフォルダー識別子及びサブフォルダー共有会員数を、タイトル記憶媒体３５にはタイトル名（ＴＴＬ）、タイトル識別子及びタイトル共有会員数を、覚書記憶媒体３６には覚書（ＭＥＭ）、覚書識別子及び覚書共有会員数をそれぞれ記憶する（以下、これらの各種の共有記憶媒体を総称して説明の便宜上、必要に応じて付加情報記憶媒体と記載する。また、これらの付加情報記憶媒体に記憶される各種の識別子及び共有会員数を総称して説明の便宜上、必要に応じてそれぞれ付加情報識別子及び付加情報共有会員数と記載する）。また、付加情報記憶媒体には後述する方法で抽出キーワード識別子（ＫＩＤ１，ＫＩＤ２）も記憶される。【００１９】個々の会員の為に生成される一時記憶媒体は、会員サイト情報記憶媒体３０に記憶されている会員毎のＵＲＬ識別子に連動するＵＲＬをＵＲＬ記憶媒体３１から、また、該ＵＲＬ識別子に対応する付加情報識別子に連動する付加情報を付加情報記憶媒体から取得し記憶すると共に関連する登録日時、アクセス日時、アクセス回数及び非公開オプションをも記憶する。尚、この一時記憶媒体は、後述する登録・変更・削除に伴う各種の検索時間を早めサーバーの負荷を軽減する為に一時的に生成されるものである。また、データベースのテーブルの代わりにＸＭＬ、或いはＣＳＶファイル等でも実現可能である。また、該一時記憶媒体は、会員が一定期間Ｗｅｂサイト情報を閲覧しないときには自動的に削除され、再び閲覧するときに新たに生成されるのが望ましい。【００２０】図４、図５及び図６の説明でＷｅｂサイト情報の登録、変更及び削除の際に、該当ＵＲＬに関連付けてＵＲＬ記憶媒体３１に記憶されている既存の付加情報識別子を説明の便宜上、必要に応じてＵ付加情報識別子と記載し、該Ｕ付加情報識別子に対応する付加情報共有会員数を、必要に応じてＵ付加情報共有会員数と記載する。また、付加情報に関する処理（付加情報識別子に関する処理も含む）は、前記付加情報記憶媒体を構成するそれぞれの記憶媒体毎に処理されるものとし、更にＵＲＬ記憶媒体、会員サイト情報記憶媒体及び一時記憶媒体に於いては、各記憶媒体内の前記付加情報識別子（一時記憶媒体に関しては前記付加情報）のカテゴリー毎に処理されるものとする。【００２１】図４は、Ｗｅｂサイト情報の登録を会員サイト情報処理手段１４を介して実現する処理手順の一例を示すフローチャートである。会員が有益と判断したＷｅｂサイトのＵＲＬが一時記憶媒体に記憶されていない、即ち該会員が初めて登録するＷｅｂサイトであることを前提に、該ＵＲＬがＵＲＬ記憶媒体３１に記憶されているか否かを判別し、記憶されている、即ち他の会員によって登録されている場合には、該記憶媒体の該ＵＲＬに対応する付加情報識別子に連動する全会員が共用可能な付加情報と、更に一時記憶媒体から該会員が過去に登録した付加情報を該会員が選択可能な形式で提示される。尚、該ＵＲＬがＵＲＬ記憶媒体３１に記憶されていない場合には、一時記憶媒体から取得する付加情報のみが提示される（ステップＳ１）。【００２２】会員は提示された付加情報から選択するか、或いは新たに付加情報を入力するかの何れかの方法で該ＵＲＬと共に登録処理を行う（ステップＳ２）。【００２３】前述の登録処理に基づいて会員が登録したＵＲＬ及び付加情報は以下の手順で各記憶媒体に記憶される。該ＵＲＬがＵＲＬ記憶媒体３１に記憶されていない、即ち何れの会員も登録していない場合は、該ＵＲＬと該ＵＲＬを共有する会員数を管理するＵＲＬ共有会員数（＝１）及び該ＵＲＬを識別するＵＲＬ識別子を該記憶媒体に新規に記憶する。また、該ＵＲＬが該記憶媒体に既に記憶されている場合には、該ＵＲＬを該会員も共有することからＵＲＬ共有会員数に１が加算される。（ステップＳ３）。【００２４】また、付加情報が一時記憶媒体に記憶されていない、即ち会員が初めて登録する場合には、更に該付加情報が付加情報記憶媒体に記憶されているか否かを判別し記憶されていない、即ち何れの会員も登録していない場合には、該付加情報と該付加情報を共有する会員数を管理する付加情報共有会員数（＝１）及び該付加情報を識別する付加情報識別子を付加情報記憶媒体に新規に記憶する。また、該付加情報が該記憶媒体に既に記憶されている場合には、該付加情報を該会員も共有することから付加情報記憶媒体の付加情報共有会員数に１が加算される。また、該付加情報が一時記憶媒体に既に記憶されている場合には、該会員が既に該付加情報を共有していることになるので前記付加情報記憶媒体の記憶情報は其のまま保持される（ステップＳ４）。【００２５】前述の処理で新たに記憶された、或いは既に記憶されていたＵＲＬ識別子、付加情報識別子、更に登録日時を会員識別子に関連付けて会員サイト情報記憶媒体３０に記憶される。尚、ステップＳ２の登録処理の際に、該会員がＷｅｂサイト情報を非公開で登録した場合には、該記憶媒体に非公開である旨を明示する非公開オプション（＝１）が記憶される。また、該会員が公開で登録した場合には、該記憶媒体に非公開オプション（＝０）が記憶される（以下、該記憶媒体に非公開オプション（＝０）で記憶された付加情報識別子を説明の便宜上、図４に於いてＲ付加情報識別子と記載する）。また、このタイミングで該当するＵＲＬ、付加情報及び登録日時、更に該会員が登録した非公開オプションの結果が一時記憶媒体にも記憶される（ステップＳ５）。【００２６】ステップＳ３でＵＲＬがＵＲＬ記憶媒体３１に新規に記憶された時点では付加情報識別子及び付加情報共有会員数はそれぞれ０が記憶されており、また、該ＵＲＬが他の会員によって登録されていた場合であっても過去に登録した全会員が前述の非公開オプション（＝１）で登録していた場合にも０が記憶されている。この場合には、ステップＳ５で会員が公開で登録したＲ付加情報識別子は、付加情報共有会員数（＝１）と共にＵＲＬ記憶媒体３１に新たに記憶される。また、ステップＳ３でＵＲＬがＵＲＬ記憶媒体３１に記憶されており、且つ過去に登録した会員の中で少なくとも一名が前述の非公開オプション（＝０）で登録していた場合には、ステップＳ５で会員が公開で登録したＲ付加情報識別子とＵ付加情報識別子を比較し同一の付加情報識別子の場合には、該付加情報を他の会員と共有することを明示する為に前述のＵ付加情報共有会員数に１を加算する。また、前述の比較結果として付加情報識別子が同一でない場合には、該付加情報識別子、ＵＲＬ識別子及び非公開オプション（＝０）の全ての条件が一致する記憶情報数を会員サイト情報記憶媒体３０から算出する。算出した結果、該記憶情報数がＵ付加情報共有会員数より大きい場合には、Ｒ付加情報識別子及び該記憶情報数を付加情報共有会員数としてＵＲＬ記憶媒体３１に置換えて記憶する。また、該記憶情報数がＵ付加情報共有会員数と同じか、或いは少ない場合には、該記憶媒体の記憶情報は其のまま保持される。此れにより、登録会員数の多い付加情報の付加情報識別子がＵＲＬ毎に該記憶媒体に記憶される。また、ステップＳ５で会員が非公開で登録した場合には、該記憶媒体に記憶されている該当ＵＲＬの非公開会員数に１が加算され、その他の記憶情報は其のまま保持される。（ステップＳ６）。【００２７】図５は、付加情報の変更を会員サイト情報処理手段１４を介して実現する処理手順の一例を示すフローチャートである。まず、会員が変更の対象とする付加情報を伴うＵＲＬと同じものをＵＲＬ記憶媒体３１から検索し該ＵＲＬに対応する付加情報識別子に連動する全会員が共用可能な付加情報と、更に一時記憶媒体から該会員が過去に登録した付加情報を該会員が選択可能な形式で提示される（ステップＳ７）。【００２８】会員は提示された付加情報から選択するか、或いは新たに付加情報を入力するかの何れかの方法で付加情報の変更処理を行う（ステップＳ８）。【００２９】前述の変更処理に基づいて会員が過去に登録した付加情報は以下の手順で各記憶媒体に変更記憶される。変更前の付加情報と同じものを記憶している記憶情報数を一時記憶媒体から検索し該記憶情報数が１の場合には（該付加情報が複数記憶されていない）、後述する方法で変更された後に、該付加情報が該記憶媒体に記憶されていないことを認識し、該付加情報を他の会員と共有しないことを明示する為に付加情報記憶媒体の付加情報共有会員数から１を減算する。尚、減算の結果、付加情報共有会員数が０に至った付加情報は該記憶媒体から削除される。また、前述の検索結果で記憶情報数が１より大きい場合には（該付加情報が複数記憶されている）、即ち該付加情報を他の会員と引続き共有するため該記憶媒体の付加情報共有会員数は其のまま保持される（ステップＳ９）。【００３０】変更後の付加情報が一時記憶媒体に記憶されていない、即ち会員が新規登録する場合には、更に該付加情報が付加情報記憶媒体に記憶されているか否かを判別し記憶されていない、即ち何れの会員も登録していない場合には、該付加情報と該付加情報を共有する会員数を管理する付加情報共有会員数（＝１）及び該付加情報を識別する付加情報識別子を付加情報記憶媒体に新規に記憶する。また、該付加情報が該記憶媒体に既に記憶されている場合には、該付加情報を該会員も共有する為に付加情報記憶媒体の付加情報共有会員数に１を加算する。（ステップＳ１０）。【００３１】前述の処理結果に基づいて変更前の付加情報の付加情報識別子を変更後の付加情報の付加情報識別子に置換えて会員サイト情報記憶媒体３０に記憶される。尚、ステップＳ８の変更処理の際に、変更前に非公開オプション（＝０）で記憶されていた付加情報を該会員が非公開に変更した場合には、該記憶媒体に非公開である旨を明示する非公開オプション（＝１）が記憶される。また、変更前に非公開オプション（＝１）で記憶されていた付加情報を該会員が公開に変更した場合には、該記憶媒体に非公開オプション（＝０）が記憶される（以下、該記憶媒体に非公開オプション（＝０）で記憶された変更後の付加情報識別子を説明の便宜上、図５に於いてＡ付加情報識別子と記載する）。また、このタイミングで変更前の付加情報を変更後の付加情報識別子に置換えて、更に該会員が登録した非公開オプションの結果が一時記憶媒体にも記憶される（ステップＳ１１）。【００３２】ＵＲＬ記憶媒体３１に記憶されている付加情報識別子及び付加情報共有会員数は、過去に登録した全会員が前述の非公開オプション（＝１）で登録していた場合には０として記憶されている。この場合には、ステップＳ１１で会員が公開で登録したＡ付加情報識別子は、付加情報共有会員数（＝１）と共に該記憶媒体に新たに記憶される。また、過去に登録した会員の中で少なくとも一名が前述の非公開オプション（＝０）で登録していたならば、ステップＳ１１で会員が公開で登録したＡ付加情報識別子とＵ付加情報識別子を比較し同一の識別子の場合には、該付加情報を他の会員と共有することを明示する為に前述のＵ付加情報共有会員数に１を加算する。また、前述の比較結果として付加情報識別子が同一でない場合には、該付加情報識別子、ＵＲＬ識別子及び非公開オプション（＝０）の全ての条件が一致する記憶情報数を会員サイト情報記憶媒体３０から算出する。算出した結果、該記憶情報数がＵ付加情報共有会員数より大きい場合には、Ａ付加情報識別子及び該記憶情報数を付加情報共有会員数としてＵＲＬ記憶媒体３１に置換えて記憶する。また、該記憶情報数がＵ付加情報共有会員数と同じか、或いは少ない場合には、該記憶媒体の記憶情報は其のまま保持される。尚、ステップ９で減算された、或いは削除された変更前の付加情報の付加情報識別子とＵ付加情報識別子が一致する場合には、１を減算したＵ付加情報共有会員数で前述の比較を行う必要がある。また、ステップＳ１１で会員が非公開で登録した場合には、ＵＲＬ記憶媒体３１に記憶されている該当ＵＲＬの非公開会員数に１が加算され、その他の記憶情報は其のまま保持される。（ステップＳ１２）。【００３３】図６は、Ｗｅｂサイト情報の削除を会員サイト情報処理手段１４を介して実現する処理手順の一例を示すフローチャートである。会員が任意に選択するＷｅｂサイト情報を削除する（ステップＳ１３）。【００３４】前述の削除されたＷｅｂサイト情報のＵＲＬ及び付加情報は以下の手順で各記憶媒体から削除される。ＵＲＬ記憶媒体３１に記憶されている該ＵＲＬに対応するＵＲＬ共有会員数から１を減算する。尚、この減算によりＵＲＬ共有会員数が０に至った該ＵＲＬに対応する記憶情報は該記憶媒体から削除されるが、該記憶情報が削除されていない、即ち他の会員が引き続き該ＵＲＬ共有していることを前提に、一時記憶媒体に記憶されている該ＵＲＬに対応する付加情報に該当する付加情報識別子（以下、該付加情報識別子を説明の便宜上、図６に於いてＤ付加情報識別子と記載する）と前述のＵ付加情報識別子を比較し同一の識別子の場合には、削除される該Ｄ付加情報識別子が他の会員と共有できないことを明示する為に前述のＵ付加情報共有会員数から１を減算すると共に該ＵＲＬのＵＲＬ識別子及び非公開オプション（＝０）の全ての条件が一致し、且つ記憶情報数の多い上位の他の付加情報識別子を会員サイト情報記憶媒体３０から算出する。算出した結果、該記憶情報数がＵ付加情報共有会員数より大きい場合には、該付加情報識別子及び該記憶情報数を付加情報共有会員数としてＵＲＬ記憶媒体３１に置換えて記憶する。また、該記憶情報数がＵ付加情報共有会員数と同じか、或いは少ない場合には、該記憶媒体の記憶情報は其のまま保持される。更にＤ付加情報識別子を含む記憶情報が一時記憶媒体に非公開オプション（＝１）で記憶されている場合には、ＵＲＬ記憶媒体３１の該ＵＲＬに対応する非公開会員数から１を減算する（ステップＳ１４）。【００３５】前述の削除処理を完了したＷｅｂサイト情報に関連する記憶情報を会員サイト情報記憶媒体３０及び一時記憶媒体から削除する（ステップＳ１５）。【００３６】前述の一時記憶媒体から削除された記憶情報に含まれていた付加情報と同じものが、該記憶媒体の他の記憶情報に含まれているか否かを判別し、含まれていない場合には、即ち該付加情報が他の会員と共有しないことを明示するために、付加情報記憶媒体の該付加情報に対応する付加情報共有会員数から１が減算される。尚、減算の結果、付加情報共有会員数が０に至った付加情報は該記憶媒体から削除される。（ステップＳ１６）。また前述の判別結果、該付加情報と同じものが一時記憶媒体に含まれている場合には、該付加情報を他の会員と引き続き共有するため該付加情報の共有会員数は其のまま保持される。【００３７】前述の登録・変更・削除処理に基づいて、ＵＲＬ記憶媒体３１の非公開会員数がＵＲＬ共有会員数と一致する場合には、Ｗｅｂサイト情報を登録した全会員が非公開で登録した結果であり、該Ｗｅｂサイト情報の該ＵＲＬに関連付けてＵＲＬ記憶媒体３１に記憶されている付加情報識別子に該当する付加情報は登録会員以外の他の会員には公開されない。また、一致しない、即ち少なくとも一人の会員が該付加情報の公開を容認している場合には、該付加情報は他の会員に公開されるものとする。【００３８】前述の処理方法によれば、会員は、他の会員によって登録された全てのＷｅｂサイト情報（非公開で登録されたものを除いて）から各種の条件で任意のＵＲＬを検索し、該ＵＲＬに関連する任意のＷｅｂサイト情報を閲覧することができる。例えば、ＵＲＬ記憶媒体３１からＵＲＬ共有会員数を条件とする登録会員数の多いユニークなＵＲＬを検索することができる。また、会員サイト情報記憶媒体３０から性別、年齢及び職業の何れかの組合せに基づいて設定された条件により絞り込まれた対象会員が登録したＵＲＬのＵＲＬ識別子毎に登録会員数を集計し、登録会員数の多いユニークなＵＲＬ識別子に連動するＵＲＬを検索することができる。【００３９】また、会員サイト情報記憶媒体３０から登録日時、アクセス日時及びアクセス回数の何れかの組合せ条件に基づくユニークなＵＲＬ識別子に連動するＵＲＬを検索することができる。更に該記憶媒体から会員の性別、年齢及び職業の何れかの組合せ条件により絞り込まれた対象会員が登録したＵＲＬのＵＲＬ識別子と前記登録日時、アクセス日時及びアクセス回数の何れかの組合せ条件に基づくユニークなＵＲＬ識別子に連動するＵＲＬを検索することができる。【００４０】図７は、広告主の広告情報を登録する各種の記憶媒体の形態を表現する図である。抽出キーワード記憶媒体３８は、付加情報記憶媒体の付加情報から抽出したキーワード（ＫＷＲＤ）と該抽出キーワードを識別可能な抽出キーワード識別子（ＫＩＤ）と共に記憶する。更に該抽出キーワードが抽出された付加情報に関連付けて該抽出キーワード識別子（ＫＩＤ１、ＫＩＤ２）を付加情報記憶媒体に記憶する。【００４１】非認証広告主は、広告主名、パスワードを広告主情報記憶媒体３９に登録し認証を完了する。認証広告主の登録情報は、広告主名（ＡＵＮＡＭＥ）、パスワード（ＰＡＳＳ）と該広告主を識別可能な広告主識別子（ＡＵＩＤ）を該記憶媒体に記憶し広告主登録を完了する。【００４２】広告主は、広告情報が保存されている広告情報提供サーバー２１内の広告情報保存場所２２を明示するＵＲＬ（ＡＤＶＵＲＬ）、該広告情報がクリックされた時に会員を誘導する任意のサーバーのＵＲＬ（ＣＬＫＵＲＬ）、更に抽出キーワード記憶媒体３８の記憶情報に基づいて提供される抽出キーワードから選択した抽出キーワード識別子を広告キーワード識別子（ＡＫＩＤ１、ＡＫＩＤ２）として、更に広告対象会員の性別範囲（ＳＥＸ）、年齢範囲（ＡＧＥ）、職業範囲（ＪＯＢ）を広告対象条件として、該広告情報を識別可能な広告情報識別子（ＡＩＤ）及び広告主識別子と共に広告情報記憶媒体４０に記憶する。【００４３】尚、付加情報記憶媒体に記憶される抽出キーワード識別子の数は任意であり、また、広告主の選択を容易にする為に抽出キーワードを任意の広告ジャンルに分けて提示することが望ましい。更に広告情報記憶媒体４０に記憶する広告キーワード識別子の数も任意であり、また、性別範囲、年齢範囲及び職業範囲は、広告主が広告条件とする性別、年齢及び職業を複数選択可能にする為に、性別記憶媒体２６のＳＩＤ、年齢記憶媒体２７のＡＧＩＤ及び職業記憶媒体２８のＪＩＤをそれぞれ２進数化したものを１０進数に変換したものとする。例えば、年齢範囲２０才から３９才以下の範囲を選択した場合には、４（２の二乗）＋８（２の三乗）から得られる１２が年齢範囲になる。また、特に年齢範囲を設定しない場合（全年齢が対象）には、０が年齢範囲になる。広告情報記憶媒体４０には、更に広告情報の表示回数（ＩＭＰＮ）及びクリック回数（ＣＬＫＮ）を記憶することによって広告表示状況処理手段２４を介して広告主の広告主端末１８に広告情報の表示状況を提供する。【００４４】図８は、図７の広告情報記憶媒体４０に基づく広告情報を会員サイト情報・広告情報表示手段２３を介して表示する処理手順の一例を示すフローチャートである。一時記憶媒体の記憶情報の中からメインフォルダーであるＭＦＯＬＤＥＲ−Ａに関するＷｅｂサイト情報を閲覧することを例に説明を試みる。この場合に対象となるＷｅｂサイト情報からユニークに取得する付加情報は、取得する順番にそれぞれＭＦＯＬＤＥＲ−Ａ、ＳＦＯＬＤＥＲ−Ｂ、ＴＩＴＬＥ−Ａ、ＭＥＭＯ−Ａ、ＴＩＴＬＥ−Ｂ、ＭＥＭＯ−Ｂであり、これらの付加情報に基づいて付加情報記憶媒体から取得される抽出キーワード識別子は、それぞれ３、７、２、２、７、１、４、４、３、６である。これらの抽出キーワード識別子（ＫＩＤ）の取得頻度（ＫＮ）を広告提供情報取得方法４１に表現する（ステップＳ１７）。更に取得した抽出キーワード識別子の中で取得頻度（ＫＮ）の高い上位の抽出キーワード識別子から順に広告情報記憶媒体４０の広告キーワード識別子の同一性を判別し、識別子が一致するユニークな広告提供情報（ステップＳ１８）を会員が閲覧するＷｅｂサイト情報と共に表示する（ステップＳ１９）。【００４５】尚、広告提供情報の取得方法は任意であるが、例えば、前述の方法で取得した抽出キーワード識別子と、更に会員の性別、年齢及び職業を組合せた任意の条件と広告情報記憶媒体４０に記憶されている性別範囲、年齢範囲及び職業範囲が一致する広告提供情報を取得することも想定する。【００４６】図９は、会員がＷｅｂサイト情報を広告提供情報と共に閲覧する画面を表現する図である。会員の登録済みＷｅｂサイト情報一覧４２は、メインフォルダー及びサブフォルダーが階層構造で表示され、クリックされたサイトを閲覧できる形式のＵＲＬ・タイトル、更に該サイトの内容を把握する為の覚書が閲覧でき、更に閲覧中に広告を表示する形態を表現している。
【発明の効果】
【００４７】以上説明したように、本発明にかかるＷｅｂサイト情報の共有管理方法及び広告表示方法に於いては、Ｗｅｂサイト情報を共有管理することによりサーバーに備える記憶媒体の容量の増大を抑え、また、他の会員によって登録された共有付加情報を個々の会員が参照することを可能にする。更に会員は、全会員を対象に性別、年齢及び職業を組合せた任意の条件で、或いはこの組合せ条件とサイトの登録会員数、サイトのアクセス履歴、サイトのアクセス頻度、或いはサイトの共有会員数とを組合せた任意の検索条件でＷｅｂサイト情報を閲覧することが可能になる。更に広告主は、会員自らの意思で登録した付加情報に含まれるキーワード、性別、年齢、或いは職業を組合せた条件により効果的に広告を行うことができる。
【図面の簡単な説明】
【図１】Ｗｅｂサイト情報の共有管理方法及び広告表示方法を説明する実施形態を表現する為の一例を示すものである。
【図２】複数の会員の個人情報及びＷｅｂサイト情報を記憶する各種の記憶媒体を説明する為の一例を示すものである。
【図３】複数の会員によって登録されるＷｅｂサイト情報を共有登録する各種の記憶媒体を説明する為の一例を示すものである。
【図４】Ｗｅｂサイト情報の登録を実現する処理手順の一例を示すフローチャートである。
【図５】付加情報の変更を実現する処理手順の一例を示すフローチャートである。
【図６】Ｗｅｂサイト情報の削除を実現する処理手順の一例を示すフローチャートである。
【図７】広告主の広告情報を登録する各種の記憶媒体を説明する為の一例を示すものである。
【図８】広告情報の表示を実現する処理手順の一例を示すフローチャートである。
【図９】会員がＷｅｂサイト情報を広告提供情報と共に閲覧する画面を表現する一例を示すものである。
【符号の説明】
１１ａ、１１ｂ・・・・会員端末Ａ、会員端末Ｂ
１２・・・・・・・・・会員・広告主登録認証手段
１３・・・・・・・・・会員・広告主情報記憶装置
１４・・・・・・・・・会員サイト情報処理手段
１５・・・・・・・・・Ｗｅｂサーバー
１６・・・・・・・・・会員サイト情報記憶装置
１７・・・・・・・・・キーワード抽出手段
１８・・・・・・・・・広告主端末
１９・・・・・・・・・広告情報処理手段
２０・・・・・・・・・広告情報記憶装置
２１・・・・・・・・・広告情報提供サーバー
２２・・・・・・・・・広告情報保存場所
２３・・・・・・・・・会員サイト情報・広告情報表示手段
２４・・・・・・・・・広告表示状況処理手段
２５・・・・・・・・・共有サーバー
２６・・・・・・・・・性別記憶媒体
２７・・・・・・・・・年齢記憶媒体
２８・・・・・・・・・職業記憶媒体
２９・・・・・・・・・会員情報記憶媒体
３０・・・・・・・・・会員サイト情報記憶媒体
３１・・・・・・・・・ＵＲＬ記憶媒体
３２・・・・・・・・・付加情報記憶媒体
３３・・・・・・・・・メインフォルダー記憶媒体
３４・・・・・・・・・サブフォルダー記憶媒体
３５・・・・・・・・・タイトル記憶媒体
３６・・・・・・・・・覚書記憶媒体
３７・・・・・・・・・会員別サイト情報一時記憶媒体
３８・・・・・・・・・抽出キーワード記憶媒体
３９・・・・・・・・・広告主情報記憶媒体
４０・・・・・・・・・広告情報記憶媒体
４１・・・・・・・・・広告提供情報取得方法
４２・・・・・・・・・会員の登録済みＷｅｂサイト情報一覧
【図１】
2005196715.tif 000003
【図２】
2005196715.tif 000004
【図３】
2005196715.tif 000005
【図４】
2005196715.tif 000006
【図５】
2005196715.tif 000007
【図６】
2005196715.tif 000008
【図７】
2005196715.tif 000009
【図８】
2005196715.tif 000010
【図９】
2005196715.tif 000011